(57)【特許請求の範囲】
【請求項１】
床下地の上に載置された温水パイプユニットを覆うように敷設される、前記温水パイプユニットの温水パイプを収容するパイプ収容溝が裏面に形成された温水式床暖房フロア用の床仕上材であって、
前記温水パイプユニットにおける前記温水パイプの一方のＵターン部分を覆う貼始側床仕上材と、前記温水パイプの他方のＵターン部分を覆う貼終側床仕上材とを備え、
前記貼始側床仕上材については、収容される前記温水パイプのＵターン部分に対して設定される前記パイプ収容溝における溝幅の余裕分を最小限に抑え、
これに伴って、前記貼終側床仕上材については、収容される前記温水パイプのＵターン部分に対して設定される前記パイプ収容溝における溝幅の余裕分を大きくしたことを特徴とする温水式床暖房フロア用の床仕上材。
【請求項２】
請求項１に記載の床仕上材によって覆われる温水式床暖房フロア用の温水パイプユニットであって、
所定のパイプパターンに整形された温水パイプと、この温水パイプが固着される基材シートとを備え、
前記基材シートまたは前記温水パイプには、前記貼始側床仕上材の敷設位置を示す目印が施されていることを特徴とする温水式床暖房フロア用の温水パイプユニット。
【発明の詳細な説明】
【０００１】
【発明の属する技術分野】
この発明は、温水式床暖房フロアを施工する際に使用する床仕上材及び温水パイプユニットに関する。
【０００２】
【従来の技術】
床下地の上に配設された温水パイプに温水を通すことによって暖房を行う温水式の床暖房フロアとしては、例えば、図１０（ａ）、（ｂ）に示すように、温水パイプ５２を予め内蔵した床仕上材５１を床下地５３の上に順次敷設していくものや、図１１（ａ）に示すように、裏面に温水パイプを収容するためのパイプ収容溝６２が形成された床仕上材６１を、同図（ｂ）に示すように、床下地６３の上に敷設した後、同図（ｃ）に示すように、床仕上材６１の端面側からパイプ収容溝６２に温水パイプ６４を挿入するようにしたものがある。
【０００３】
ところで、図１０に示す床暖房フロアは、温水パイプ５２が床仕上材５１に予め内蔵されているので、床下地５３の上に床仕上材５１を敷設していけばよく、床仕上材５１を床下地５３に釘止めする場合にも、指定された位置を釘止めすれば、床仕上材５１に内蔵された温水パイプ５２が損傷を受けることがないという利点はあるが、温水パイプ５２が床仕上材５１毎に分断されているので、床仕上材５１を床下地５３の上に敷設する際、隣接する床仕上材５１に内蔵された温水パイプ５２同士をコネクタ等を介して順次接続していかなければならず、床仕上材５１の敷設作業性が悪いといった問題がある。
【０００４】
また、図１１に示す床暖房フロアは、床仕上材毎に温水パイプを接続する必要はないが、既に敷設された床仕上材６１のパイプ収容溝６２に長尺の温水パイプ６４をＵターンさせながら通管するのは手間のかかる作業であり、やはり、効率よく床暖房フロアを施工することができない。
【０００５】
こういった従来の温水式床暖房フロアにおける問題を解消するため、本件発明者は、特願２００１−１３５８１４号において、施工性に優れた温水式床暖房フロアを提案している。この温水式床暖房フロアは、図１２（ａ）、（ｂ）に示すように、床下地７６の上に敷設される温水パイプユニット７１と、床下地７６の上に載置された温水パイプユニット７１を覆うように床下地７６の上に敷設される床仕上材７４とから構成されており、温水パイプユニット７１は、同図（ｂ）に示すように、所定のパイプパターンに整形された温水パイプ７２が基材シート７３の上面に固着されていると共に、床仕上材７４には、その裏面に温水パイプユニット７１の温水パイプ７２を収容するためのパイプ収容溝７５が形成されている。
【０００６】
以上のように構成された温水式床暖房フロア７０は、床暖房エリアを覆うように、温水パイプユニット７１を床下地７６の上に載置した状態で、その温水パイプユニット７１の温水パイプ７２をパイプ収容溝７５に収容しながら、床仕上材７４を順次敷設していけばよいので、図１０及び図１１に示す温水式床暖房フロアに比べて効率よく施工することができる。
【０００７】
【発明が解決しようとする課題】
ところで、上述したような温水式床暖房フロア７０に使用される床仕上材７４は、図１３に示すように、温水パイプユニット７１における温水パイプ７２の一方のＵターン部分７２ａを覆う貼始側床仕上材７４ａと、温水パイプ７２の直線部分７２ｂを覆う中間床仕上材７４ｂと、温水パイプ７２の他方のＵターン部分７２ｃを覆う貼終側床仕上材７４ｃとから構成されており、こういった貼始側床仕上材７４ａ、中間床仕上材７４ｂ及び貼終側床仕上材７４ｃにそれぞれ形成されたパイプ収容溝７５ａ、７５ｂ、７５ｃは、温水パイプ７２を収容しやすくするために、温水パイプ７２の外径及び温度変化に伴う温水パイプ７２の伸縮量等を考慮して、一定の余裕分を見込んで溝幅が設定されている。
【０００８】
従って、例えば、温水パイプ７２が最も伸長している真夏に温水式床暖房フロア７０を施工する場合には、図１３に実線で示すように、貼始側床仕上材７４ａにおけるパイプ収容溝７５ａのＵターン部分において、温水パイプ７２の一方のＵターン部分７２ａがパイプ収容溝７５ａの外縁側に収容されるように貼始側床仕上材７４ａを敷設しておくと、貼終側床仕上材７４ｃにおけるパイプ収容溝７５ｃのＵターン部分においても、温水パイプ７２の他方のＵターン部分７２ｃがパイプ収容溝７５ｃの外縁側に収容された状態で、貼終側床仕上材７４ｃを敷設することができる。
【０００９】
一方、温水パイプ７２が最も収縮している真冬に温水式床暖房フロア７０を施工する場合には、同図に二点鎖線で示すように、逆に、貼始側床仕上材７４ａにおけるパイプ収容溝７５ａのＵターン部分において、温水パイプ７２の一方のＵターン部分７２ａがパイプ収容溝７５ａの内縁側に収容されるように貼始側床仕上材７４ａを敷設しておくと、貼終側床仕上材７４ｃにおけるパイプ収容溝７５ｃのＵターン部分においても、温水パイプ７２の他方のＵターン部分７２ｃがパイプ収容溝７５ｃの内縁側に収容された状態で、貼終側床仕上材７４ｃを敷設することができる。
【００１０】
しかしながら、貼始側床仕上材７４ａのパイプ収容溝７５ａ及び貼終側床仕上材７４ｃのパイプ収容溝７５ｃの双方に対して、一定の余裕分を見込んでそれぞれの溝幅を一律に設定しておくと、真夏に温水式床暖房フロア７０を施工する場合に、図１４に実線で示すように、貼始側床仕上材７４ａにおけるパイプ収容溝７５ａのＵターン部分の内縁側に、温水パイプ７２の一方のＵターン部分７２ａが収容されるように貼始側床仕上材７４ａが敷設されたり、真冬に温水式床暖房フロア７０を施工する場合に、同図に二点鎖線で示すように、貼始側床仕上材７４ａにおけるパイプ収容溝７５ａのＵターン部分の外縁側に、温水パイプ７２の一方のＵターン部分７２ａが収容されるように貼始側床仕上材７４ａが敷設されたりすると、貼終側床仕上材７４ｃにおけるパイプ収容溝７５ｃのＵターン部分に温水パイプ７２の他方のＵターン部分７２ｃを収容することができなくなる。
【００１１】
従って、温水式床暖房フロア７０の施工作業者は、温水パイプ７２の伸縮状態を考慮して、貼始側床仕上材７４ａを慎重に敷設しなければならず、貼始側床仕上材７４ａを効率よく短時間で敷設することができないといった問題がある。
【００１２】
また、床仕上材７４を敷設した状態では、パイプ収容溝７５に対する温水パイプ７２の収容状態を確認することができないので、温水パイプ７２の伸縮状態を考慮して適正に貼始側床仕上材７４ａを敷設したつもりでも、そのように敷設されているとは限らず、貼始側床仕上材７４ａが適正に敷設されていなかった場合は、一旦敷設した床仕上材７４を剥がして、再度、敷設し直すといった面倒な作業を行わなければならないといった問題がある。
【００１３】
そこで、この発明の課題は、温度変化に伴う温水パイプの伸縮を考慮することなく、効率よく確実に敷設していくことのできる温水式床暖房フロア用の床仕上材及び温水パイプユニットを提供することにある。
【００１４】
【課題を解決するための手段及びその効果】
上記の課題を解決するため、請求項１に係る発明は、床下地の上に載置された温水パイプユニットを覆うように敷設される、前記温水パイプユニットの温水パイプを収容するパイプ収容溝が裏面に形成された温水式床暖房フロア用の床仕上材であって、前記温水パイプユニットにおける前記温水パイプの一方のＵターン部分を覆う貼始側床仕上材と、前記温水パイプの他方のＵターン部分を覆う貼終側床仕上材とを備え、前記貼始側床仕上材については、収容される前記温水パイプのＵターン部分に対して設定される前記パイプ収容溝における溝幅の余裕分を最小限に抑え、これに伴って、前記貼終側床仕上材については、収容される前記温水パイプのＵターン部分に対して設定される前記パイプ収容溝における溝幅の余裕分を大きくしたことを特徴とする温水式床暖房フロア用の床仕上材を提供するものである。
【００１５】
以上のように、貼始側床仕上材については、収容される前記温水パイプのＵターン部分に対して設定される前記パイプ収容溝における溝幅の余裕分が最小限に抑えられていると共に、貼終側床仕上材については、収容される前記温水パイプのＵターン部分に対して設定される前記パイプ収容溝における溝幅の余裕分が大きくなっているので、貼始側床仕上材におけるパイプ収容溝に対する温水パイプの収容状態がほとんど変動することがなく、貼始側床仕上材を敷設した状態では、温水パイプの一方のＵターン部分が、貼始側床仕上材に対して常に所定位置に位置決めされ、温度変化に伴う温水パイプの伸縮については、温水パイプの他方のＵターン部分を収容する、溝幅の余裕分が大きくなっている貼終側床仕上材のパイプ収容溝において確実に吸収することができる。
【００１６】
従って、温水式床暖房フロアの施工作業者は、貼始側床仕上材のパイプ収容溝及び貼終側床仕上材のパイプ収容溝の双方に対して、一定の余裕分を見込んでそれぞれの溝幅を一律に設定している場合のように、温水パイプの伸縮を考慮して貼始側床仕上材を慎重に敷設する必要がなく、温水パイプをパイプ収容溝に収容しながら貼始側床仕上材及び貼終側床仕上材等の床仕上材を、効率よく確実に敷設していくことができる。
【００１７】
特に、請求項１に記載の床仕上材によって覆われる温水式床暖房フロア用の温水パイプユニットであって、所定のパイプパターンに整形された温水パイプと、この温水パイプが固着される基材シートとを備え、前記基材シートまたは前記温水パイプには、前記貼始側床仕上材の敷設位置を示す目印が施されている、請求項２に係る発明の温水パイプユニットを使用すると、目印に合わせて貼始側床仕上材を敷設することで、溝幅の余裕分が最小限に抑えられている貼始側床仕上材のパイプ収容溝に、温水パイプユニットの温水パイプを円滑かつ確実に収容することができ、床仕上材の敷設作業性をさらに向上させることができる。
【００１８】
【発明の実施の形態】
以下、実施の形態について図面を参照して説明する。図１及び図２に示すように、この温水式床暖房フロア１は、捨貼合板等からなる床下地１０と、この床下地１０の上に載置される温水パイプユニット２０と、床下地１０の上に載置された温水パイプユニット２０を覆うように床下地１０の上に敷設される床仕上材３０とから構成されている。
【００１９】
前記温水パイプユニット２０は、図２及び図３に示すように、両端部で交互にＵターンさせながら平面略長方形状に整形した、口径が５Ａの長尺の温水パイプ２１と、この温水パイプ２１が固着された基材シート２２とから構成されており、前記温水パイプ２１は架橋ポリエチレンによって形成されている。
【００２０】
前記基材シート２２は、図４に示すように、厚さ５０μｍのアルミニウム箔２４が、厚さ３０μｍのポリエチレンフィルム２３と目付が２３ｇ／ｍ２の紙間強化紙２５とによってラミネートされた３層ラミネートシートによって形成されており、所定のパイプパターンに整形された温水パイプ２１を完全に覆うことができる大きさを有している。
【００２１】
この基材シート２２には、その上面、即ち、ポリエチレンフィルム２３の表面に、温水パイプ２１が熱融着されており、熱融着された温水パイプ２１部分を避けるように、口径３８ｍｍ程度の透孔２２ａが多数形成されていると共に、温水パイプ２０における床仕上材３０の貼始側のＵターン部分覆うように敷設される、後述する貼始側Ｕターンパネル３０ｃ（図６（ｂ）参照）の敷設位置を示すライン状の目印２６が表示されている。
【００２２】
前記床仕上材３０は、図２及び図５に示すように、５プライ合板や３プライ合板等の木質板によって形成されたパネル基材３１と、このパネル基材３１の表面に貼着された突板等の表面化粧材３２とから構成されており、床仕上材３０の表面には、長手方向に伸びる３本の擬似溝３２ａと各擬似溝３２ａ間において短手方向に伸びる複数の擬似溝３２ｂとが形成されている。
【００２３】
また、床仕上材３０は、図６に示すように、温水パイプユニット２０が載置されていない部屋の周辺部分に敷設される周辺パネル３０ａと、部屋の中央部分に載置された温水パイプユニット２０における温水パイプ２１の直線部分を覆うように敷設される本体パネル３０ｂと、温水パイプユニット２０における温水パイプ２１の床仕上材３０の貼始側のＵターン部分を覆うように敷設される貼始側Ｕターンパネル３０ｃと、温水パイプユニット２０における温水パイプ２１の床仕上材３０の貼終側のＵターン部分を覆うように敷設される貼終側Ｕターンパネル３０ｄとに分類されており、前記周辺パネル３０ａは、本体パネル３０ｂと同一構成のパネルを使用している。
【００２４】
前記本体パネル３０ｂは、図６（ａ）に示すように、パネル基材３１の裏面に、上述した温水パイプユニット２０における温水パイプ２１の直線部分を収容するための複数のパイプ収容溝３１ａが一定間隔で形成されており、貼始側Ｕターンパネル３０ｃ及び貼終側Ｕターンパネル３０ｄは、同図（ｂ）、（ｃ）に示すように、パネル基材３１の裏面に、本体パネル３０ｂと同様の直線状のパイプ収容溝３１ａが形成されていると共に、パイプ収容溝３１ａ間に温水パイプ２１のＵターン部分を収容するための円弧状のパイプ収容溝３１ｂが形成されている。
【００２５】
前記貼始側Ｕターンパネル３０ｃのパイプ収容溝３１ｂは、図７（ａ）に示すように、温水パイプ２１の外径（約７．３ｍｍ）より１ｍｍ程度大きい溝幅Ｌ１を有しているが、貼終側Ｕターンパネル３０ｄのパイプ収容溝３１ｂは、同図（ｂ）に示すように、温水パイプ２１の外径より５ｍｍ程度大きい溝幅Ｌ２を有している。
【００２６】
以上のように構成された温水式床暖房フロアの施工方法について、以下に説明する。まず、図８（ａ）に示すように、床暖房フロアを施工しようとする部屋の一辺側から床下地１０の上に周辺パネル３０ａを敷設した後、同図（ｂ）に示すように、温水パイプユニット２０を床下地１０の所定位置に載置する。この場合、２組の温水パイプユニット２０が使用されている。
【００２７】
次に、同図（ｃ）に示すように、パイプ収容溝３１ａ、３１ｂに温水パイプユニット２０の温水パイプ２１を嵌め込むようにして貼始側Ｕターンパネル３０ｃを敷設すると、床下地１０の上に載置された温水パイプユニット２０が概ね位置決めされることになるので、各温水パイプユニット２０における温水パイプ２１の両端部をそれぞれ床下地１０の下方側に引き落とし、床下でメインパイプに接続する。
【００２８】
なお、貼始側Ｕターンパネル３０ｃのパイプ収容溝３１ｂは、収容される温水パイプ２１の外径に対する溝幅の余裕分が１ｍｍ程度しかないので、図９（ａ）に示すように、パイプ収容溝３１ｂ内における温水パイプ２１の貼始側のＵターン部分２１ａの収容状態がほとんど変動することがなく、貼始側Ｕターンパネル３０ｃを敷設した状態では、温水パイプ２１の貼始側のＵターン部分２１ａが、貼始側Ｕターンパネル３０ｃに対して常に所定位置に位置決めされる。
【００２９】
また、貼始側Ｕターンパネル３０ｃを敷設する際は、温水パイプユニット２０の基材シート２２に表示された目印２６に貼始側Ｕターンパネル３０ｃの長辺側の端縁を一致させることによって、温水パイプ２１の外径に対する溝幅の余裕分がほとんどないパイプ収容溝３１ｂに、温水パイプ２１の貼始側のＵターン部分２１ａを確実に収容することができる。
【００３０】
続いて、図８（ｄ）に示すように、パイプ収容溝３１ａに温水パイプ２１を嵌め込みながら本体パネル３０ｂを敷設していく。そして、同図（ｅ）に示すように、温水パイプユニット２０における温水パイプ２１の反対側のＵターン部分を覆うように、貼終側Ｕターンパネル３０ｄを敷設した後、同図（ｆ）に示すように周辺パネル３０ａを敷設すると、図１に示すような温水式床暖房フロア１が完成する。
【００３１】
なお、周辺パネル３０ａ、貼始側Ｕターンパネル３０ｃ、本体パネル３０ｂ及び貼終側Ｕターンパネル３０ｄを敷設する際は、パイプ収容溝３１ａ、３１ｂ部分を除いて各パネルの裏面にそれぞれ接着剤が塗布されているので、この接着剤によって、貼始側Ｕターンパネル３０ｃ、本体パネル３０ｂ及び貼終側Ｕターンパネル３０ｄと温水パイプユニット２０の基材シート２２とが相互に接着固定されると共に、基材シート２２の透孔２２ａ部分で、貼始側Ｕターンパネル３０ｃ、本体パネル３０ｂ及び貼終側Ｕターンパネル３０ｄと床下地１０とが同時に接着固定される。
【００３２】
また、温水パイプユニット２０の温水パイプ２１は、気温変化に伴って伸縮するが、上述したように、温水パイプ２１における床仕上材３０の貼始側のＵターン部分２１ａは、敷設された貼始側Ｕターンパネル３０ｃに対して所定位置に位置決めされており、しかも、貼終側Ｕターンパネル３０ｄに形成されたパイプ収容溝３１ｂは、温水パイプ２１の外径に対してある程度の余裕分（５ｍｍ程度）を見込んで、その溝幅が設定されているので、例えば、温水パイプ２１が最も伸長している真夏に温水式床暖房フロア１を施工する場合には、図９（ｂ）に実線で示すように、貼終側Ｕターンパネル３０ｄにおけるパイプ収容溝３１ｂのＵターン部分において、温水パイプ２１の他方のＵターン部分２１ｂがパイプ収容溝３１ｂの外縁側に収容され、温水パイプ２１が最も収縮している真冬に温水式床暖房フロア１を施工する場合には、同図に二点鎖線で示すように、逆に、温水パイプ２１の他方のＵターン部分２１ｂがパイプ収容溝３１ｂの内縁側に収容されることになる。
【００３３】
以上のように、この温水式床暖房フロア１では、貼始側Ｕターンパネル３０ｃのパイプ収容溝３１ｂの溝幅を最小限に抑えると共に、貼終側Ｕターンパネル３０ｄのパイプ収容溝３１ｂの溝幅を大きくする構成を採用したため、温水パイプのＵターン部分を収容するパイプ収容溝の溝幅を同一に設定した貼始側Ｕターンパネルや貼終側Ｕターンパネルを使用する場合のように、温水パイプ２１の伸縮を考慮して貼始側Ｕターンパネル３０ｃを慎重に敷設する必要がなく、パイプ収容溝３１ａ、３１ｂに温水パイプ２１を確実に収容しながら、貼始側Ｕターンパネル３０ｃ、本体パネル３０ｂ及び貼終側Ｕターンパネル３０ｄを効率よく敷設していくことができる。
【００３４】
また、貼始側Ｕターンパネル３０ｃのパイプ収容溝３１ｂの溝幅を最小限に抑えることによって、温水パイプ２１をパイプ収容溝３１ｂに収容しにくくなるが、この温水式床暖房フロア１では、貼始側Ｕターンパネル３０ｃの敷設位置を示すライン状の目印２６が基材シート２２に表示された温水パイプユニット２０を使用しているので、貼始側Ｕターンパネル３０ｃを目印２６に合わせることによって、貼始側Ｕターンパネル３０ｃを円滑に敷設することができる。
【００３５】
なお、上述した実施形態では、貼始側Ｕターンパネル３０ｃのパイプ収容溝３１ｂの溝幅を、温水パイプ２１の外径より１ｍｍ程度大きく設定しているが、これに限定されるものではなく、温水パイプ２１の収容作業性を考慮してできるだけ小さくなるように溝幅を設定すればよい。
【００３６】
また、上述した実施形態では、貼終側Ｕターンパネル３０ｄのパイプ収容溝３１ｂの溝幅を、温水パイプ２１の外径より５ｍｍ程度大きく設定しているが、これに限定されるものではなく、問題が発生しない範囲でできるだけ大きく設定しておくことが望ましい。
【００３７】
また、上述した実施形態では、温水パイプユニット２０の基材シート２２に、貼始側Ｕターンパネル３０ｃの敷設位置を示すライン状の目印２６を表示しているが、これに限定されるものではなく、ライン状の目印を温水パイプ２１の表面に表示する等、種々の表示方法を採用することができる。
【００３８】
また、上述した実施形態では、基材シート２２に接着剤を透過させるための透孔２２ａを形成しているが、これに限定されるものではなく、基材シート２２を形成している素材自体が接着剤の透過性能を有していれば、特に、基材シート２２に透孔を形成しておく必要はない。さらに、温水パイプユニット２０を接着剤によって別途床下地１０に接着するのであれば、特に、基材シート２２に透孔２２ａを形成しておく必要はない。
【図面の簡単な説明】
【図１】この発明にかかる床仕上材及び温水パイプユニットを使用した温水式床暖房フロアを示す断面図である。
【図２】同上の温水式床暖房フロアを示す分解断面図である。
【図３】同上の温水パイプユニットを示す平面図である。
【図４】同上の温水パイプユニットに使用されている基材シートを示す断面図である。
【図５】同上の床仕上材を示す平面図である。
【図６】（ａ）は同上の床仕上材（本体パネル）を示す裏面図、（ｂ）は同上の床仕上材（貼始側Ｕターンパネル）を示す裏面図、（ｃ）は同上の床仕上材（貼終側Ｕターンパネル）を示す裏面図である。
【図７】（ａ）は同上の貼始側Ｕターンパネルを示す部分拡大裏面図、（ｂ）は同上の貼終側Ｕターンパネルを示す部分拡大裏面図である。
【図８】（ａ）〜（ｆ）は同上の温水式床暖房フロアの施工方法を示す工程図である。
【図９】（ａ）は同上の貼始側Ｕターンパネルのパイプ収容溝に温水パイプを収容した状態を示す部分拡大裏面図、（ｂ）は同上の貼終側Ｕターンパネルのパイプ収容溝に温水パイプを収容した状態を示す部分拡大裏面図である。
【図１０】（ａ）は従来の床仕上材一体型の温水式床暖房フロアに使用される床仕上材を示す断面図、（ｂ）は同上の温水式床暖房フロアの施工方法を示す工程図である。
【図１１】（ａ）は従来の他の温水式床暖房フロアに使用される床仕上材を示す断面図、（ｂ）、（ｃ）は同上の温水式床暖房フロアの施工方法を示す工程図である。
【図１２】（ａ）は背景技術としての温水式床暖房フロアを示す断面図、（ｂ）は同上の温水式床暖房フロアを示す分解断面図である。
【図１３】同上の温水式床暖房フロアに使用される床仕上材のパイプ収容溝に温水パイプを収容した状態を示す部分拡大裏面図である。
【図１４】同上の床仕上材が有する問題点を説明するための説明図である。
【符号の説明】
１  温水式床暖房フロア
１０  床下地
２０  温水パイプユニット
２１  温水パイプ
２１ａ、２１ｂ  Ｕターン部分
２２  基材シート
２６  目印
３０  床仕上材
３０ａ  周辺パネル
３０ｂ  本体パネル
３０ｃ  貼始側Ｕターンパネル
３０ｄ  貼終側Ｕターンパネル
３１  パネル基材
３１ａ、３１ｂ  パイプ収容溝
３２  表面化粧材
【図１】
0004558241.tif 000002
【図２】
0004558241.tif 000003
【図３】
0004558241.tif 000004
【図４】
0004558241.tif 000005
【図５】
0004558241.tif 000006
【図６】
0004558241.tif 000007
【図７】
0004558241.tif 000008
【図８】
0004558241.tif 000009
【図９】
0004558241.tif 000010
【図１０】
0004558241.tif 000011
【図１１】
0004558241.tif 000012
【図１２】
0004558241.tif 000013
【図１３】
0004558241.tif 000014
【図１４】
0004558241.tif 000015